(57)【特許請求の範囲】
【請求項１】
正面視で、移動昇降台及び前記移動昇降台の頂面に固定的に装着された固定台を含み、前記移動昇降台は前記固定台の昇降と移動を連動させることができ、前記固定台の前側にはビニールハウスが設置され、前記固定台の中には固定チャンバが設置され、前記固定チャンバの中には前記ビニールハウスの頂面を洗浄できる洗浄機構が設置され、前記洗浄機構は動力箱を含み、前記動力箱には中間板が左右対称的に、且つ固定的に装着され、前記中間板の中には洗浄チャンバが設置され、前記洗浄チャンバの中には二つのローラーが設置され、二つの前記ローラーの間にはベルトが動力を伝達するように装着され、前記ベルトの外表面には取り外し可能な第一洗浄スポンジが装着され、前記第一洗浄スポンジには洗浄液が吸着でき、前記動力箱の中には伝動機構が設置され、前記伝動機構が前記ローラーを回転連動させ、それによってベルトが回転し、前記第一洗浄スポンジは前記ビニールハウスの頂面を洗浄でき、
前記洗浄機構の中にはまた前記洗浄機構を移動連動させる移動機構が設置され、前記固定台の中には前記移動昇降台が左右に移動する過程で前記洗浄機構の移動を制限できる制限機構が設置され、
前記洗浄機構はまたばねチャンバと、移動板と、第一ばねと、第二洗浄スポンジとによって構成され、
前記ばねチャンバが前記動力箱の底面の中に左右対称的に設置され、前記ばねチャンバの中には前記移動板がスライドできるように装着され、前記移動板と前記ばねチャンバとの間には前記第一ばねが固定的に装着され、前記移動板には前記第二洗浄スポンジが固定的に装着され、
前記伝動機構は動力チャンバと、第一モーターと、動力ロッドと、第一ギヤと、洗浄ロッドと、回転ロッドと、第二ギヤと、第一チェーンとによって構成され、
前記動力チャンバが前記動力箱の中に設置され、前記動力チャンバが左右方向に前記中間板の中に伸びており、前記動力チャンバの後側内壁の中には前記第一モーターが固定的に装着され、前記第一モーターの前向きの出力軸の前側面には前記動力ロッドが固定的に装着され、前記動力ロッドには前記第一ギヤが前後対称的に、且つ固定的に装着され、前記洗浄チャンバの前後内壁の間には前記洗浄ロッドが回転できるように装着され、前記洗浄チャンバの前側内壁の中には前記動力チャンバの前側内壁を貫通した前記回転ロッドが回転できるように装着され、前記第一回転ロッドの後側面には前記第二ギヤが固定的に装着され、前記第二ギヤと前記第一ギヤとの間には前記第一チェーンが動力を伝達するように装着され、前記ローラーが前記洗浄ロッドと前記回転ロッドとに固定的に装着され、
前記移動機構は固定ブロックと、伝動ロッドと、車輪と、補助ブロックと、補助チャンバと、第二モーターと、移動ロッドと、第三ギヤと、第四ギヤと、第二チェーンとによって構成され、
前記固定ブロックが前記中間板の底面に固定的に装着され、前記固定ブロックには前記伝動ロッドが回転できるように装着され、前記伝動ロッドには前記車輪が固定的に装着され、前記固定ブロックの後側面には前記補助ブロックが固定的に装着され、前記補助ブロックの中には前方に開口した前記補助チャンバが設置され、前記補助チャンバの片側内壁の中には前記第二モーターが固定的に装着され、前記第二モーターの出力軸には前記移動ロッドが固定的に装着され、前記移動ロッドには前記第三ギヤが固定的に装着され、後側の前記伝動ロッドには前記第四ギヤが固定的に装着され、前記第四ギヤと前記第三ギヤとの間には前記第二チェーンが動力を伝達するように装着され、
前記制限機構は挿入孔と、押し動かしブロックと、第二ばねと、スライドチャンバと、スライド板と、引き動かしチャンバと、止め板チャンバと、止めロッドと、連結板と、第五ギヤと、第三チェーンと、固定ロッドとによって構成され、
前記挿入孔が前記固定台の中に左右対称的に設置され、前記挿入孔の中には前記押し動かしブロックがスライドできるように装着され、前記押し動かしブロックの後側面と前記挿入孔の後側内壁との間には前記第二ばねが固定的に装着され、前記挿入孔の片側には前記スライドチャンバが連通するように設置され、前記スライドチャンバの中には前記スライド板がスライドできるように装着され、前記スライド板が前記押し動かし板と固定的に連結され、前記スライドチャンバの片側には前記引き動かしチャンバが連通するように設置され、前記スライド板が前記引き動かしチャンバの中に伸びており、前記引き動かしチャンバの片側には前記止め板チャンバが設置され、前記止め板チャンバと前記引き動かしチャンバとの間には前記止めロッドが回転できるように装着され、前記止めロッドのうち前記止め板チャンバの中に位置したところには前記連結板が固定的に装着され、前記止めロッドのうち前記引き動かしチャンバの中に位置したところには前記第五ギヤが固定的に装着され、前記第五ギヤと前記スライド板との間には前記第三チェーンが固定的に装着され、前記ビニールハウスの前側面には前記固定ロッドが左右対称的に、且つ固定的に装着され、
前記止めチャンバの片側にはトーションばねチャンバが設置され、前記止ロッドが前記トーションばねチャンバの中に伸びており、前記止めロッドのうち前記トーションばねチャンバの中に位置したところにはトーションばねが固定的に装着され、
前記動力箱のうち左右両側の前記ばねチャンバの間に位置したところには支持輪が回転できるように装着され、
前記中間板には定位板が固定的に装着され、前記定位板の頂面には定位輪が回転できるように装着され、前記定位輪と前記固定チャンバの左右内壁とが密着しており、
前記ビニールハウスの頂面を洗浄する時、前記移動昇降台によって前記洗浄機構を前記ビニールハウスの後側に移動連動させ、その後、前記移動昇降台が前記固定台を前記固定ロッドに移動連動させて前記挿入孔に入らせた時、前記固定ロッドが前記押し動かしブロックを押し動かして後方へ移動させ、それによって前記スライド板が後方へ移動し、前記スライド板が前記第三チェーンによって前記第五ギヤを回転させ、前記第五ギヤが回転して前記止めロッドを回転連動させ、それによって前記連結板が回転し、前記固定台と前記ビニールハウスとの間の橋になり、その後、前記洗浄機構は前記固定台から出ることができ、また前記連結板によって前記ビニールハウスに移動し、その後、前記第一モーターが起動して前記動力ロッドを回転連動させ、前記動力ロッドが回転して前記第一ギヤを回転連動させ、前記第一ギヤが前記第一チェーンの伝動によって前記第二ギヤを回転連動させ、前記第二ギヤが回転して前記回転ロッドを回転連動させ、それによって前記ローラーと前記ベルトとを回転させ、前記第一洗浄スポンジが前記ビニールハウスの頂面を洗浄し、同時に前記洗浄機構が移動し、前記第二モーターが起動して前記移動ロッドと前記第三ギヤとを回転連動させ、前記第三ギヤが前記第二チェーンの伝動によって前記第四ギヤを回転連動させ、前記第四ギヤが回転して後側の前記伝動ロッドを回転連動させ、それによって後側の前記車輪が回転して前記移動機構全体を移動連動させ、それによって前記第二洗浄スポンジは前記第一洗浄スポンジの洗浄できないところを洗浄できることを特徴とする旬外れの農業栽培用のビニールハウスの屋根の自動洗浄機。
【発明の詳細な説明】
【技術分野】
【０００１】
本発明はビニールハウス洗浄分野に関わり、具体的には旬外れの農業栽培用のビニールハウスの屋根の自動洗浄機である。
【背景技術】
【０００２】
ビニールハウスは光線を透過させて保温できる植物を栽培する農業施設であり、植物の生長することに適さない季節で、ビニールハウスは温室によって植物の生育期を促成して植物の収量を高め、ビニールハウスは一般的に温度が低い季節の時に高温を好む野菜と、花と、林木などの植物の栽培又は育苗に応用され、ビニールハウスが風や日光に曝された後、外表面に残った雑物はビニールハウスの使用効果に悪影響を与え、ビニールハウスの外表面を洗浄する必要がある。
一般的にはビニールハウスの屋根を洗浄する時、人為的に水を噴射する方式を用い、このような方式は水で洗い流されやすい雑物を除き、ビニールハウスの頂面に付着している雑物を除けなく、一般的なビニールハウスの屋根を洗浄する自動洗浄機は移動昇降台から上方へビニールハウスの頂面に移動する過程において、洗浄機の移動方向を制限しないことで、洗浄機の移動のずれが生じる可能性があり、ビニールハウスを壊す恐れがある。
【先行技術文献】
【特許文献】
【０００３】
【特許文献１】中国特許出願公開第１０３５５１３４６号明細書
【発明の概要】
【発明が解決しようとする課題】
【０００４】
本発明は旬外れの農業栽培用のビニールハウスの屋根の自動洗浄機を提供し、既存技術にある上記の欠点を解消することを目的とする。
【課題を解決するための手段】
【０００５】
本発明の実施例の旬外れの農業栽培用のビニールハウスの屋根の自動洗浄機は、移動昇降台及び前記移動昇降台の頂面に固定的に装着された固定台を含み、前記移動昇降台は前記固定台の昇降と移動を連動させることができ、前記固定台の前側にはビニールハウスが設置され、前記固定台の中には固定チャンバが設置され、前記固定チャンバの中には前記ビニールハウスの頂面を洗浄できる洗浄機構が設置され、前記洗浄機構は動力箱を含み、前記動力箱には中間板が左右対称的に、且つ固定的に装着され、前記中間板の中には洗浄チャンバが設置され、前記洗浄チャンバの中には二つのローラーが設置され、二つの前記ローラーの間にはベルトが動力を伝達するように装着され、前記ベルトの外表面には取り外し可能な第一洗浄スポンジが装着され、前記第一洗浄スポンジには洗浄液が吸着でき、前記動力箱の中には伝動機構が設置され、前記伝動機構が前記ローラーを回転連動させ、それによってベルトが回転し、前記第一洗浄スポンジは前記ビニールハウスの頂面を洗浄できる。
【０００６】
前記洗浄機構の中にはまた前記洗浄機構を移動連動させる移動機構が設置され、前記固定台の中には前記移動昇降台が左右に移動する過程で前記洗浄機構の移動を制限できる制限機構が設置されている。
【０００７】
上記の技術プランに基づいて、前記洗浄機構はまたばねチャンバと、移動板と、第一ばねと、第二洗浄スポンジとによって構成され、前記ばねチャンバが前記動力箱の底面の中に左右対称的に設置され、前記ばねチャンバの中には前記移動板がスライドできるように装着され、前記移動板と前記ばねチャンバとの間には前記第一ばねが固定的に装着され、前記移動板には前記第二洗浄スポンジが固定的に装着されている。
【０００８】
上記の技術プランに基づいて、前記伝動機構は動力チャンバと、第一モーターと、動力ロッドと、第一ギヤと、洗浄ロッドと、回転ロッドと、第二ギヤと、第一チェーンとによって構成され、前記動力チャンバが前記動力箱の中に設置され、前記動力チャンバが左右方向に前記中間板の中に伸びており、前記動力チャンバの後側内壁の中には前記第一モーターが固定的に装着され、前記第一モーターの前向きの出力軸の前側面には前記動力ロッドが固定的に装着され、前記動力ロッドには前記第一ギヤが前後対称的に、且つ固定的に装着され、前記洗浄チャンバの前後内壁の間には前記洗浄ロッドが回転できるように装着され、前記洗浄チャンバの前側内壁の中には前記動力チャンバの前側内壁を貫通した前記回転ロッドが回転できるように装着され、前記第一回転ロッドの後側面には前記第二ギヤが固定的に装着され、前記第二ギヤと前記第一ギヤとの間には前記第一チェーンが動力を伝達するように装着され、前記ローラーが前記洗浄ロッドと前記回転ロッドとに固定的に装着されている。
【０００９】
上記の技術プランに基づいて、前記移動機構は固定ブロックと、伝動ロッドと、車輪と、補助ブロックと、補助チャンバと、第二モーターと、移動ロッドと、第三ギヤと、第四ギヤと、第二チェーンとによって構成され、前記固定ブロックが前記中間板の底面に固定的に装着され、前記固定ブロックには前記伝動ロッドが回転できるように装着され、前記伝動ロッドには前記車輪が固定的に装着され、前記固定ブロックの後側面には前記補助ブロックが固定的に装着され、前記補助ブロックの中には前方に開口した前記補助チャンバが設置され、前記補助チャンバの片側内壁の中には前記第二モーターが固定的に装着され、前記第二モーターの出力軸には前記移動ロッドが固定的に装着され、前記移動ロッドには前記第三ギヤが固定的に装着され、後側の前記伝動ロッドには前記第四ギヤが固定的に装着され、前記第四ギヤと前記第三ギヤとの間には前記第二チェーンが動力を伝達するように装着されている。
【００１０】
上記の技術プランに基づいて、前記制限機構は挿入孔と、押し動かしブロックと、第二ばねと、スライドチャンバと、スライド板と、引き動かしチャンバと、止め板チャンバと、止めロッドと、連結板と、第五ギヤと、第三チェーンと、固定ロッドとによって構成され、前記挿入孔が前記固定台の中に左右対称的に設置され、前記挿入孔の中には前記押し動かしブロックがスライドできるように装着され、前記押し動かしブロックの後側面と前記挿入孔の後側内壁との間には前記第二ばねが固定的に装着され、前記挿入孔の片側には前記スライドチャンバが連通するように設置され、前記スライドチャンバの中には前記スライド板がスライドできるように装着され、前記スライド板が前記押し動かし板と固定的に連結され、前記スライドチャンバの片側には前記引き動かしチャンバが連通するように設置され、前記スライド板が前記引き動かしチャンバの中に伸びており、前記引き動かしチャンバの片側には前記止め板チャンバが設置され、前記止め板チャンバと前記引き動かしチャンバとの間には前記止めロッドが回転できるように装着され、前記止めロッドのうち前記止め板チャンバの中に位置したところには前記連結板が固定的に装着され、前記止めロッドのうち前記引き動かしチャンバの中に位置したところには前記第五ギヤが固定的に装着され、前記第五ギヤと前記スライド板との間には前記第三チェーンが固定的に装着され、前記ビニールハウスの前側面には前記固定ロッドが左右対称的に、且つ固定的に装着されている。
【００１１】
上記の技術プランに基づいて、前記止めチャンバの片側にはトーションばねチャンバが設置され、前記止ロッドが前記トーションばねチャンバの中に伸びており、前記止めロッドのうち前記トーションばねチャンバの中に位置したところにはトーションばねが固定的に装着されている。
【００１２】
上記の技術プランに基づいて、前記動力箱のうち左右両側の前記ばねチャンバの間に位置したところには支持輪が回転できるように装着されている。
【００１３】
上記の技術プランに基づいて、前記中間板には定位板が固定的に装着され、前記定位板の頂面には定位輪が回転できるように装着され、前記定位輪と前記固定チャンバの左右内壁とが密着している。
【発明の効果】
【００１４】
本発明の有益な効果は：本発明は移動昇降台が固定台を移動連動させた後、ビニールハウスにある固定ロッドを挿入孔の中に入らせ、一定の程度に移動昇降台を安定させ、固定ロッドが押し動かしブロックを押し動かして連結板を回転させ、連結板が固定台とビニールハウスとの橋になり、その後、洗浄機構は連結板によってビニールハウスに移動し、左右両側の定位輪は洗浄機構がビニールハウスに移動する時に移動する方向の正確性を保証し、洗浄機構は移動するずれが生じることによってビニールハウスを壊す状況が発生するのを避け、また、伝動機構は第一洗浄スポンジを回転連動させ、第一洗浄スポンジはビニールハウスの頂面を洗浄でき、洗浄機構が移動すると同時に、第二洗浄スポンジは第一洗浄スポンジの洗浄できないところを洗浄でき、更にビニールハウスの全体の頂面を洗浄でき、普及する価値がある。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の構成概略図
【図２】図２は本発明の図１の中のＡ―Ａ方向の断面構成概略図
【図３】図３は本発明の図１の中のＢ―Ｂ方向の断面構成概略図
【図４】図４は本発明の図１の中のＣ―Ｃ方向の断面構成概略図
【図５】図５は本発明の図１の中のＤのところの拡大概略図
【図６】図６は本発明の図４の中のＥ―Ｅ方向の断面構成概略図
【図７】図７は本発明の中の固定台１１の上面構成概略図
【発明を実施するための形態】
【００１７】
図１〜７を参照し、本発明の実施例の旬外れの農業栽培用のビニールハウスの屋根の自動洗浄機は、移動昇降台１５及び前記移動昇降台１５の頂面に固定的に装着された固定台１１を含み、前記移動昇降台１５は前記固定台１１の昇降と移動を連動させることができ、前記固定台１１の前側にはビニールハウス５９が設置され、前記固定台１１の中には固定チャンバ１２が設置され、前記固定チャンバ１２の中には前記ビニールハウス５９の頂面を洗浄できる洗浄機構１０１が設置され、前記洗浄機構１０１は動力箱３２を含み、前記動力箱３２には中間板２２が左右対称的に、且つ固定的に装着され、前記中間板２２の中には洗浄チャンバ１６が設置され、前記洗浄チャンバ１６の中には二つのローラー１８が設置され、二つの前記ローラー１８の間にはベルト２０が動力を伝達するように装着され、前記ベルト２０の外表面には取り外し可能な第一洗浄スポンジ２１が装着され、前記第一洗浄スポンジ２１には洗浄液が吸着でき、前記動力箱３２の中には伝動機構１０２が設置され、前記伝動機構１０２が前記ローラー１８を回転連動させ、それによってベルト２０が回転し、前記第一洗浄スポンジ２１は前記ビニールハウス５９の頂面を洗浄でき、前記洗浄機構１０１の中にはまた前記洗浄機構１０１を移動連動させる移動機構１０３が設置され、前記固定台１１の中には前記移動昇降台１５が左右に移動する過程で前記洗浄機構１０１の移動を制限できる制限機構１０４が設置されている。
【００１８】
また、一つの実施例に、前記洗浄機構１０１はまた前記動力箱３２の底面の中に左右対称的に設置されたばねチャンバ５４を含み、前記ばねチャンバ５４の中には移動板５６がスライドできるように装着され、前記移動板５６と前記ばねチャンバ５４との間には第一ばね５５が固定的に装着され、前記移動板５６には第二洗浄スポンジ５７が固定的に装着され、それによって洗浄機構１０１が移動する時、第二洗浄スポンジ５７は第一洗浄スポンジ２１の洗浄できないところを洗浄できる。
【００１９】
また、一つの実施例に、前記伝動機構１０２は前記動力箱３２の中に設置された動力チャンバ２７を含み、前記動力チャンバ２７が左右方向に前記中間板２２の中に伸びており、前記動力チャンバ２７の後側内壁の中には第一モーター３１が固定的に装着され、前記第一モーター３１の前向きの出力軸の前側面には動力ロッド３３が固定的に装着され、前記動力ロッド３３には第一ギヤ３０が前後対称的に、且つ固定的に装着され、前記洗浄チャンバ１６の前後内壁の間には洗浄ロッド１７が回転できるように装着され、前記洗浄チャンバ１６の前側内壁の中には前記動力チャンバ２７の前側内壁を貫通した回転ロッド１９が回転できるように装着され、前記第一回転ロッド１９の後側面には第二ギヤ２８が固定的に装着され、前記第二ギヤ２８と前記第一ギヤ３０との間には第一チェーン２９が動力を伝達するように装着され、前記ローラー１８が前記洗浄ロッド１７と前記回転ロッド１９とに固定的に装着され、それによってビニールハウス５９の頂面を洗浄する時、第一モーター３１が起動して動力ロッド３３を回転連動させ、動力ロッド３３が回転して第一ギヤ３０を回転連動させ、第一ギヤ３０が第一チェーン２９の伝動によって第二ギヤ２８を回転連動させ、第二ギヤ２８が回転して回転ロッド１９を回転連動させ、それによってローラー１８とベルト２０とを回転させ、第一洗浄スポンジ２１がビニールハウス５９の頂面を洗浄する。
【００２０】
また、一つの実施例に、前記移動機構１０３は前記中間板２２の底面に固定的に装着された固定ブロック２３を含み、前記固定ブロック２３には伝動ロッド５１が回転できるように装着され、前記伝動ロッド５１には車輪２４が固定的に装着され、前記固定ブロック２３の後側面には補助ブロック４７が固定的に装着され、前記補助ブロック４７の中には前方に開口した補助チャンバ４８が設置され、前記補助チャンバ４８の片側内壁の中には第二モーター５２が固定的に装着され、前記第二モーター５２の出力軸には移動ロッド５０が固定的に装着され、前記移動ロッド５０には第三ギヤ４９が固定的に装着され、後側の前記伝動ロッド５１には第四ギヤ５８が固定的に装着され、前記第四ギヤ５８と前記第三ギヤ４９との間には第二チェーン４６が動力を伝達するように装着され、それによって洗浄機構１０１は移動する時、第二モーター５２が起動して移動ロッド５０と第三ギヤ４９とを回転連動させ、第三ギヤ４９が第二チェーン４６の伝動によって第四ギヤ５８を回転連動させ、第四ギヤ５８が回転して後側の伝動ロッド５１を回転連動させ、それによって後側の車輪２４が回転して移動機構１０１全体を移動連動させる。
【００２１】
また、一つの実施例に、前記制限機構１０４は前記固定台１１の中に左右対称的に設置された挿入孔１４を含み、前記挿入孔１４の中には押し動かしブロック３６がスライドできるように装着され、前記押し動かしブロック３６の後側面と前記挿入孔１４の後側内壁との間には第二ばね３８が固定的に装着され、前記挿入孔１４の片側にはスライドチャンバ３７が連通するように設置され、前記スライドチャンバ３７の中にはスライド板３５がスライドできるように装着され、前記スライド板３５が前記押し動かし板３６と固定的に連結され、前記スライドチャンバ３７の片側には引き動かしチャンバ３９が連通するように設置され、前記スライド板３５が前記引き動かしチャンバ３９の中に伸びており、前記引き動かしチャンバ３９の片側には止め板チャンバ４５が設置され、前記止め板チャンバ４５と前記引き動かしチャンバ３９との間には止めロッド４１が回転できるように装着され、前記止めロッド４１のうち前記止め板チャンバ４５の中に位置したところには連結板４４が固定的に装着され、前記止めロッド４１のうち前記引き動かしチャンバ３９の中に位置したところには第五ギヤ５０が固定的に装着され、前記第五ギヤ５０と前記スライド板３５との間には第三チェーン３４が固定的に装着され、前記ビニールハウス５９の前側面には固定ロッド６０が左右対称的に、且つ固定的に装着され、それによって移動昇降台１５が固定台１１を固定ロッド６０に移動連動させて挿入孔１４に入らせた時、固定ロッド６０が押し動かしブロック３６を押し動かして後方へ移動させ、それによってスライド板３５が後方へ移動し、スライド板３５が第三チェーン３４によって第五ギヤ５０を回転させ、第五ギヤ５０が回転して止めロッド４１を回転連動させ、それによって連結板４４が回転し、固定台１１とビニールハウス５９との間の橋になり、その後、洗浄機構１０１は固定台１１から出ることができ、また連結板４４によってビニールハウス５９に移動する。
【００２２】
また、一つの実施例に、前記止めチャンバ４５の片側にはトーションばねチャンバ４３が設置され、前記止ロッド４１が前記トーションばねチャンバ４３の中に伸びており、前記止めロッド４１のうち前記トーションばねチャンバ４３の中に位置したところにはトーションばね４２が固定的に装着され、前記ションばね４２が前記トーションばねチャンバ４３の片側内壁と固定的に装着され、トーションばね４２は推力を提供して押し動かしブロック３６を押し動かして前方へ移動させる。
【００２３】
また、一つの実施例に、前記動力箱３２のうち左右両側の前記ばねチャンバ５４の間に位置したところには支持輪５３が回転できるように装着され、支持輪５３はビニールハウス５９の頂面で転がれ、装置全体を支持できる。
【００２４】
また、一つの実施例に、前記中間板２２には定位板２５が固定的に装着され、前記定位板２５の頂面には定位輪２６が回転できるように装着され、前記定位輪２６と前記固定チャンバ１２の左右内壁とが密着しており、定位輪２６は洗浄機構１０１の移動する方向の正確性を保証し、それによって洗浄機構１０１はビニールハウス５９の頂面まで正確に移動する。
【００２５】
ビニールハウス５９の頂面を洗浄する時、移動昇降台１５によって洗浄機構１０１をビニールハウス５９の後側に移動連動させ、その後、移動昇降台１５が固定台１１を固定ロッド６０に移動連動させて挿入孔１４に入らせた時、固定ロッド６０が押し動かしブロック３６を押し動かして後方へ移動させ、それによってスライド板３５が後方へ移動し、スライド板３５が第三チェーン３４によって第五ギヤ５０を回転させ、第五ギヤ５０が回転して止めロッド４１を回転連動させ、それによって連結板４４が回転し、固定台１１とビニールハウス５９との間の橋になり、その後、洗浄機構１０１は固定台１１から出ることができ、また連結板４４によってビニールハウス５９に移動し、その後、第一モーター３１が起動して動力ロッド３３を回転連動させ、動力ロッド３３が回転して第一ギヤ３０を回転連動させ、第一ギヤ３０が第一チェーン２９の伝動によって第二ギヤ２８を回転連動させ、第二ギヤ２８が回転して回転ロッド１９を回転連動させ、それによってローラー１８とベルト２０とを回転させ、第一洗浄スポンジ２１がビニールハウス５９の頂面を洗浄し、同時に洗浄機構１０１が移動し、第二モーター５２が起動して移動ロッド５０と第三ギヤ４９とを回転連動させ、第三ギヤ４９が第二チェーン４６の伝動によって第四ギヤ５８を回転連動させ、第四ギヤ５８が回転して後側の伝動ロッド５１を回転連動させ、それによって後側の車輪２４が回転して移動機構１０１全体を移動連動させ、それによって第二洗浄スポンジ５７は第一洗浄スポンジ２１の洗浄できないところを洗浄できる。
【００２６】
本発明の有益な効果は：本発明は移動昇降台が固定台を移動連動させた後、ビニールハウスにある固定ロッドを挿入孔の中に入らせ、一定の程度に移動昇降台を安定させ、固定ロッドが押し動かしブロックを押し動かして連結板を回転させ、連結板が固定台とビニールハウスとの橋になり、その後、洗浄機構は連結板によってビニールハウスに移動し、左右両側の定位輪は洗浄機構がビニールハウスに移動する時に移動する方向の正確性を保証し、洗浄機構は移動するずれが生じることによってビニールハウスを壊す状況が発生するのを避け、また、伝動機構は第一洗浄スポンジを回転連動させ、第一洗浄スポンジはビニールハウスの頂面を洗浄でき、洗浄機構が移動すると同時に、第二洗浄スポンジは第一洗浄スポンジの洗浄できないところを洗浄でき、更にビニールハウスの全体の頂面を洗浄でき、普及する価値がある。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は旬外れの農業栽培用のビニールハウスの屋根の自動洗浄機を開示した。
【解決手段】
移動昇降台及び前記移動昇降台の頂面に固定的に装着された固定台を含み、前記移動昇降台は前記固定台の昇降と移動を連動させることができ、前記固定台の前側にはビニールハウスが設置され、移動昇降台が固定台を移動連動させた後、ビニールハウスにある固定ロッドを挿入孔の中に入らせ、連結板が固定台とビニールハウスとの橋になり、その後、洗浄機構は連結板によってビニールハウスに移動し、左右両側の定位輪は洗浄機構がビニールハウスに移動する時に移動する方向の正確性を保証し、第一洗浄スポンジはビニールハウスの頂面を洗浄でき、洗浄機構が移動すると同時に、第二洗浄スポンジは第一洗浄スポンジの洗浄できないところを洗浄できる。
【選択図】図１【図１】
0006802419.tif 000002
【図２】
0006802419.tif 000003
【図３】
0006802419.tif 000004
【図４】
0006802419.tif 000005
【図５】
0006802419.tif 000006
【図６】
0006802419.tif 000007
【図７】
0006802419.tif 000008